(57)【要約】
【課題】　例えばロッドに荷重が作用したときにも、ロッドとフロントグリップとが偏心するのを防ぐ。
【解決手段】　ロッド１が挿通するパイプ状のカーボンフレーム４と、カーボンフレーム４の外周面に設けられたリールシート５と、リールシート５の後方に設けられたリアグリップ２と、リールシート５の前端に螺着する筒状のフロントグリップ６と、リールシート５の前方においてロッド１が挿通する筒部材７とを備えており、フロントグリップ６をリールシート５側にねじ込んだ状態で、リング部材６４の内周面が筒部材７の外周面に重なり合って、フロントグリップ６の前端内側とロッド１の外周面との間に筒部材７が介在するようにしている。これにより、例えばロッド１に荷重が作用したときにも、ロッド１とフロントグリップ６とが偏心するのを防ぐことができる。
【選択図】　図１
0003099707.tif 000002
【実用新案登録請求の範囲】
【請求項１】
　ロッドが挿通するパイプ状のフレームと、
　上記フレームの外周面に設けられたリールシートと、
　上記リールシートの後方に設けられたリアグリップと、
　上記リールシートの前端に螺着する筒状のフロントグリップとを備え、
　上記フロントグリップを上記リールシート側に一定量以上ねじ込んだ状態で、上記フロントグリップの前端内側と上記ロッドの外周面との間に支持部材が介在する構成にしたことを特徴とする釣り竿。
【請求項２】
　上記リールシートの前方において上記ロッドが挿通する筒部材が設けられ、上記フロントグリップを上記リールシート側にねじ込むと、上記フロントグリップの前端内側と上記ロッドの外周面との間に上記筒部材が介在するようにしたことを特徴とする請求項１に記載の釣り竿。
【請求項３】
　上記筒部材の先端外周面がテーパ形状にされていることを特徴とする請求項２に記載の釣り竿。
【請求項４】
　上記リールシートの前端から上記フレームを突出させておき、上記フロントグリップを上記リールシート側にねじ込むと、上記フロントグリップの前端内側と上記ロッドの外周面との間に上記フレームの突出部分が介在するようにしたことを特徴とする請求項１に記載の釣り竿。
【請求項５】
　上記フレームの突出部分の前端に外周面がテーパ状にされたリングが連設されていることを特徴とする請求項４に記載の釣り竿。
【請求項６】
　上記フロントグリップは前端に配設されたリング部材を含み、上記リング部材の内周面と上記ロッドの外周面との間に上記支持部材が介在することを特徴とする請求項１〜５のいずれか１項に記載の釣り竿。
【請求項７】
　上記リング部材の材質は、金属、合成繊維、合成樹脂、ゴムのいずれかであることを特徴とする請求項６に記載の釣り竿。
【請求項８】
　上記リング部材の材質は、アルミニウムであることを特徴とする請求項６に記載の釣り竿。
【請求項９】
　上記フロントグリップの前端内側と上記支持部材とが複数の面接触或いは複数の点接触或いは複数の線接触することを特徴とする請求項１〜８のいずれか１項に記載の釣り竿。
【考案の詳細な説明】
【技術分野】
【０００１】
　本考案は釣り竿に関し、フロントグリップをリールシート側にねじ込むようにした釣り竿に適用して好適なものである。
【背景技術】
【０００２】
　図１０には、従来の釣り竿の一構成例を示す。釣り竿は、リアグリップ１０１、リールシート１０３、ロッド１０５等からなり、リールシート１０３の前端に筒状のフロントグリップ１０４が螺着する。このように構成された釣り竿では、リール１０２を取り付ける場合、リール１０２の後側の脚１０２Ｒをリールシート１０３に形成された孔に挿入して、リール１０２をリールシート１０３上に搭載する。そして、フロントグリップ１０４をリールシート１０３側にねじ込むと（図中矢印Ｘ）、フロントグリップ１０４の後端のフード１０９がリール１０２の前側の脚１０２Ｆを覆うようにして係合するので、リール１０２をリールシート１０３上に固定することができる。
【考案の開示】
【考案が解決しようとする課題】
【０００３】
　しかしながら、従来の釣り竿では、図１１に示すように、ロッド１０５とフロントグリップ１０４の前端開口との間に隙間１０６が形成されるため、例えばフード１０９がリール１０２の前側の脚１０２Ｆに係合した後に更にフロントグリップ１０４をねじ込んだり、ロッド１０５に荷重が作用したりすると、ロッド１０５とフロントグリップ１０４とが偏心することがあった。このようにロッド１０５とフロントグリップ１０４とが偏心すると、例えばロッド１０５がフロントグリップ１０４の前端開口端に接触し、キズがつくおそれがある。
【０００４】
　本考案は上記のような点に鑑みてなされたものであり、ロッドとフロントグリップとが偏心するのを防ぐことを目的とする。
【課題を解決するための手段】
【０００５】
　本考案の釣り竿は、ロッドが挿通するパイプ状のフレームと、上記フレームの外周面に設けられたリールシートと、上記リールシートの後方に設けられたリアグリップと、上記リールシートの前端に螺着する筒状のフロントグリップとを備え、上記フロントグリップを上記リールシート側に一定量以上ねじ込んだ状態で、上記フロントグリップの前端内側と上記ロッドの外周面との間に支持部材が介在する構成にした点に特徴を有する。
【０００６】
　また、本考案の釣り竿の他の特徴とするところは、上記リールシートの前方において上記ロッドが挿通する筒部材が設けられ、上記フロントグリップを上記リールシート側にねじ込むと、上記フロントグリップの前端内側と上記ロッドの外周面との間に上記筒部材が介在するようにした点にある。この場合に、上記筒部材の先端外周面をテーパ形状にすれば、スムーズな動きが可能になる。
【０００７】
　また、本考案の釣り竿の他の特徴とするところは、上記リールシートの前端から上記フレームを突出させておき、上記フロントグリップを上記リールシート側にねじ込むと、上記フロントグリップの前端内側と上記ロッドの外周面との間に上記フレームの突出部分が介在するようにした点にある。この場合に、上記フレームの突出部分の前端に外周面がテーパ状にされたリングを連設すれば、スムーズな動きが可能になるとともに、フレームの内周面とロッドの外周面との間への浸水を防止することができる。
【０００８】
　また、本考案の釣り竿の他の特徴とするところは、上記フロントグリップは前端に配設されたリング部材を含み、上記リング部材の内周面と上記ロッドの外周面との間に上記支持部材が介在する点にある。
【０００９】
　また、本考案の釣り竿の他の特徴とするところは、上記フロントグリップの前端内側と上記支持部材とが複数の面接触或いは複数の点接触或いは複数の線接触する点にある。これにより、強い支持力を維持しつつ、フロントグリップの前端内側と支持部材との相対移動を滑らかなものとすることができる。
【考案の効果】
【００１０】
　本考案の釣り竿によれば、フロントグリップをリールシート側に一定量以上ねじ込んだ状態で、フロントグリップの前端内側とロッドの外周面との間に支持部材が介在するので、例えばフロントグリップをねじ込んだり、ロッドに荷重が作用したりしたときにも、ロッドとフロントグリップとが偏心するのを防ぐことができる。また、フロントグリップの前端内側でロッドをしっかりと支持することができるので、ロッドの剛性を高め、ロッドの耐久性を向上させるとともに、ロッド側から伝わる振動をダイレクトにユーザに伝えることができ、感度を高めることができる。
【考案を実施するための最良の形態】
【００１１】
　以下、図面を参照して、本考案による釣り竿の好適な実施形態について説明する。
（第１の実施形態）
　図１〜５を参照して、第１の実施形態の釣り竿を説明する。図１、２に示すように、ロッド１（ブランク）の外周面にリアグリップ２が設けられている。リアグリップ２はユーザが握る部分であり、その材質としてコルク、ＥＶＡ樹脂（発泡ゴム）、カーボン、金属、ウレタン等が用いられる。リアグリップ２の後端には全体のバランスをとるためのおもりとしての役目も果たすエンドキャップ３が設けられている。
【００１２】
　また、リアグリップ２の前方においてロッド１が挿通するパイプ状のカーボンフレーム４が設けられている。そして、カーボンフレーム４の外周面には、リールシート５がリアグリップ２の前端に連なるように設けられている。リールシート５はリール１０２を取り付けるためのものであり、その材質としてガラス混合樹脂等が用いられる。リールシート５の前端外周面には、後述する筒状のフロントグリップ６が螺着するためのネジ部５ａが形成されている。なお、図１、２に示すリールシート５は、指を掛けるためのトリガー５ｂが一体形成されたタイプである。
【００１３】
　さらに、リールシート５の前方においてロッド１が挿通する所定長さの筒部材７がカーボンフレーム４の前端に連なるように設けられている。筒部材７はカーボンフレーム４に比べて薄肉形状とされており、先端外周面がテーパ形状にされている（テーパ部７ａ）。
【００１４】
　フロントグリップ６は、図３に示すように、筒体６１の外周面をグリップ体６２で覆う構成とされている。筒体６１の後端側内周面には、リールシート５のネジ部５ａに対応するネジ部６１ａが形成されている。グリップ体６２の材質としては、上記リアグリップ２と同様にコルク、ＥＶＡ樹脂、カーボン、金属、ウレタン等が用いられる。
【００１５】
　フロントグリップ６の後端には、フード６３が配設されている。また、フロントグリップ６の前端には、外周面がテーパ形状にされたリング部材６４が配設されている。リング部材６４はグリップ体６２の前端開口に挿入固定するための挿入部６４ａを有し、その外周面には筒体６１に重なり合うよう段部が形成されている。リング部材６４の前面は曲面凹形状とされており、その前面に、図４（ａ）に示すように、中央の開口につながる切欠部６５と小穴６６とが規則的に配置形成されている。
【００１６】
　リング部材６４の材質としては、アルミニウム、真鍮、ステンレス等の金属、カーボンやケブラー（Ｒ）等の合成繊維、ＥＶＡ樹脂等の合成樹脂、ゴム等が用いられる。例えば、アルミニウムを用いれば、軽量化が可能であるとともに、優れた耐食性を確保することができる。また、ＥＶＡ樹脂を用いる場合、グリップ体６２に用いられるＥＶＡ樹脂では手触り感等が求められるのに対して、リング部材６４に用いられるＥＶＡ樹脂ではある程度の硬度が求められるので、グリップ体６２とリング部材６４とで硬度が相違するものを用いる。
【００１７】
　上記のように構成した釣り竿では、リール１０２を取り付ける場合、図２に示すように、リール１０２の後脚１０２Ｒをリールシート５に形成された孔５ｃに挿入して、リール１０２をリールシート５上に搭載する。そして、フロントグリップ６をリールシート５側にねじ込むと、フロントグリップ６の後端のフード６３がリール１０２の前脚１０２Ｆを覆うようにして係合するので、リール１０２をリールシート５上に固定することができる。
【００１８】
　ここで、リング部材６４の内径ｒは筒部材７の外径とほぼ同径とされている。したがって、図２に示すようにフロントグリップ６をリールシート５側にねじ込んだ状態で、リング部材６４の内周面が筒部材７の外周面に重なり合って、フロントグリップ６の前端内側とロッド１の外周面との間に筒部材７が介在することになる。これにより、例えばフード６３がリール１０２の前側の脚１０２Ｆに係合した後に更にフロントグリップ６をねじ込んだり、ロッド１に荷重が作用したりしたときにも、ロッド１とフロントグリップ６とが偏心するのを防ぐことができる。なお、筒部材７の先端外周面がテーパ形状にされているので、筒部材７の先端がリング部材６４の内周面に入り込むときにリング部材６４にぶつかるのを避けて、両者がスムーズに重なり合うようにすることができる。
【００１９】
　また、フロントグリップ６の前端内側でロッド１をしっかりと支持することができるので、ロッド１の剛性を高め、ロッド１の耐久性を向上させるとともに、ロッド１側から伝わる振動をダイレクトにユーザに伝えることができ、感度を高めることができる。
【００２０】
　なお、リング部材６４のデザインは限定されるものではない。例えば、図４（ｂ）〜（ｐ）に示すように、リング部材６４の前面に形成する切欠部や穴の数、大きさ、形状等を所望のものとすることにより、特徴的なデザインを有する釣り竿を提供することができる。さらにはリング部材６４自体の形状、色、材質等についても所望のものとすればよく、例えば図５に示すように、リング部材６４の前面を曲面凸形状としてもよい。
【００２１】
　また、図４（ａ）、（ｃ）、（ｄ）、（ｊ）、（ｌ）、（ｍ）、に示す例では、リング部材６４の内周面と筒部材７の外周面とが複数の面接触し、図４（ｂ）、（ｇ）、（ｋ）、（ｏ）、（ｐ）に示す例では、複数の線接触するようにしている。さらに、図４（ｈ）、（ｉ）に示す例では、リング部材６４の内周面に等間隔で三点或いはそれ以上の突起部６７、例えば半球状の突起或いはリング部材６４の長手方向に延びた断面半円状の突起を設けておき、フロントグリップ６の前端内側（リング部材６４）と筒部材７とが複数の点接触或いは複数の線接触するようにしている。もちろん、筒部材７の外周面に突起部を設けるようにしてもよい。このように複数の面接触或いは複数の点接触或いは複数の線接触とすることにより、強い支持力を維持しつつ、内周面のすべてが面接触する構成（図４（ｅ）、（ｆ）、（ｎ））に比べて接触面積を小さくして、筒部材７とリング部材６４との相対移動を滑らかなものとすることができる。
【００２２】
（第２の実施形態）
　図６〜９を参照して、第２の実施形態の釣り竿を説明する。以下では、上記第１の実施形態の釣り竿と同一の構成要素には同一の符号を付し、その詳細な説明は省略する。
【００２３】
　第２の実施形態では、上記第１の実施形態のように筒部材７を設けるのではなく、リールシート５の前端からカーボンフレーム４を所定長さだけ突出させている（突出部分４ａ参照）。カーボンフレーム４の前端には、外周面がテーパ状にされた金属製のリング８が同軸上に連設されている。リング８はカーボンフレーム４の内周面とロッド１の外周面との間への浸水を防止するためのものである。また、リング８の外周面がテーパ形状にされているので、突出部分４ａの先端（リング８）がリング部材６４の内周面に入り込むときにリング部材６４にぶつかるのを避けて、両者がスムーズに重なり合うようにすることができる。
【００２４】
　このようにした第２の実施形態でも、リング部材６４の内径Ｒはカーボンフレーム４の突出部分４ａの外径とほぼ同径とされている。したがって、図７に示すようにフロントグリップ６をリールシート５側にねじ込んだ状態で、リング部材６４の内周面が突出部分４ａの外周面に重なり合って、フロントグリップ６の前端内側とロッド１の外周面との間に突出部分４ａが介在することになる。これにより、例えばフード６３がリール１０２の前側の脚１０２Ｆに係合した後に更にフロントグリップ６をねじ込んだり、ロッド１に荷重が作用したりしたときにも、ロッド１とフロントグリップ６とが偏心するのを防ぐことができる。
【００２５】
　また、フロントグリップ６の前端内側でロッド１をしっかりと支持することができるので、ロッド１の剛性を高め、ロッド１の耐久性を向上させるとともに、ロッド１側から伝わる振動をダイレクトにユーザに伝えることができ、感度を高めることができる。
【００２６】
　さらに、カーボンフレーム４を利用するので、別部材である筒部材７を用いなくてもよく、組み付け性等を向上させることができる。
【００２７】
　なお、上記実施形態において示した各部の形状及び構造は、何れも本考案を実施するにあたっての具体化のほんの一例を示したものに過ぎず、これらによって本考案の技術的範囲が限定的に解釈されてはならない。すなわち、本考案はその精神、又はその主要な特徴から逸脱することなく、様々な形で実施することができる。
【図面の簡単な説明】
【００２８】
【図１】第１の実施形態における釣り竿を示す図である。
【図２】第１の実施形態における釣り竿を示す図である。
【図３】フロントグリップの一部断面図である。
【図４】リング部材の例を示す図である。
【図５】他の例の釣り竿を示す側面図である。
【図６】第２の実施形態における釣り竿を示す図である。
【図７】第２の実施形態における釣り竿を示す図である。
【図８】フロントグリップの一部断面図である。
【図９】リング部材を示す図である。
【図１０】従来の釣り竿の一構成例を示す図である。
【図１１】ロッドとフロントグリップとが偏心している状態を説明するための図である。
【符号の説明】
【００２９】
　１　　　ロッド
　２　　　リアグリップ
　３　　　エンドキャップ
　４　　　カーボンフレーム
　４ａ　　突出部分
　５　　　リールシート
　５ａ　　ネジ部
　５ｂ　　トリガー
　５ｃ　　孔
　６　　　フロントグリップ
　７　　　筒部材
　７ａ　　テーパ部
　６１　　筒体
　６１ａ　ネジ部
　６２　　グリップ体
　６３　　フード
　６４　　リング部材
　６５　　切欠部
　６６　　小穴
　６７　　突起部
【図１】
0003099707.tif 000003
【図２】
0003099707.tif 000004
【図３】
0003099707.tif 000005
【図４】
0003099707.tif 000006
【図５】
0003099707.tif 000007
【図６】
0003099707.tif 000008
【図７】
0003099707.tif 000009
【図８】
0003099707.tif 000010
【図９】
0003099707.tif 000011
【図１０】
0003099707.tif 000012
【図１１】
0003099707.tif 000013